(57)【要約】【課題】小容量の医薬品を服用する時に必要な量の水を得ることができるような、小容量の医薬品と服用するための水とを一体としたセット包装体として販売し、消費者に利便性をもたらすことができる医薬品と水とのセット包装体を提供する。【解決手段】本発明は、１〜３回服用する量の医薬品を収納した医薬品包装体と、医薬品を服用するに足る量の水を収納した容器とからなり、販売時点において、医薬品包装体と容器を一体としたことを特徴とする医薬品と水とのセット包装体であり、例えば、医薬品包装体が、医薬品を収納した収納部と容器の首部に吊り下げる吊り下げ部とからなるボトルネッカーであり、容器が、ボトルであり、ボトルネッカーをボトルの首部に取り付けて医薬品包装体と容器を一体としたことを特徴とする医薬品と水とのセット包装体である。【選択図】図１
2008245982.tif 000002
【特許請求の範囲】
【請求項１】
１〜３回服用する量の医薬品を収納した医薬品包装体と、前記医薬品を服用するに足る量の水を収納した容器とからなり、販売時点において、前記医薬品包装体と前記容器を一体としたことを特徴とする医薬品と水とのセット包装体。
【請求項２】
前記医薬品包装体が、医薬品を収納した収納部と前記容器の首部に吊り下げる吊り下げ部とからなるボトルネッカーであり、前記容器が、ボトルであり、前記ボトルネッカーを前記ボトルの首部に取り付けて前記医薬品包装体と前記容器を一体としたことを特徴とする請求項１に記載の医薬品と水とのセット包装体。
【請求項３】
前記医薬品包装体がプラスチックフィルムからなる包装袋であることを特徴とする請求項２に記載の医薬品と水とのセット包装体。
【請求項４】
前記医薬品包装体が箱であることを特徴とする請求項２に記載の医薬品と水とのセット包装体。
【請求項５】
前記医薬品包装体の前記収納部に、小袋に収納された医薬品又はＰＴＰ包装された医薬品が収納されていることを特徴とする請求項２乃至４のいずれかに記載の医薬品と水とのセット包装体。
【請求項６】
前記医薬品包装体が、医薬品を収納した小袋を添付したスカート状ボトルネッカーであり、前記容器が、ボトルであり、前記スカート状ボトルネッカーを前記ボトルの首部に嵌め込んで前記医薬品包装体と前記容器を一体としたことを特徴とする請求項１に記載の医薬品と水とのセット包装体。
【請求項７】
前記医薬品包装体が、医薬品を収納した底面に差し込み孔を設けた箱であり、前記容器が、ボトルであり、前記箱を前記差込み孔で前記ボトルの首部に嵌め込んで前記医薬品包装体と前記容器を一体としたことを特徴とする請求項１に記載の医薬品と水とのセット包装体。
【請求項８】
前記医薬品包装体が軟包装材による包装袋あるいは箱であり、前記医薬品包装体を容器の胴部に接着剤あるいは粘着剤で固定し取り付けて前記医薬品包装体と前記容器を一体としたことを特徴とする請求項１に記載の医薬品と水とのセット包装体。
【請求項９】
前記医薬品包装体が軟包装材による包装袋あるいは箱であり、前記医薬品包装体を容器の胴部にシュリンク包装あるいはストレッチ包装で前記医薬品包装体を取り付けた前記医薬品包装体と前記容器を一体としたことを特徴とする請求項１に記載の医薬品と水とのセット包装体。
【請求項１０】
前記医薬品包装体が軟包装材による包装袋あるいは箱であり、前記容器がボトル、パウチ、カップ容器、缶、瓶のいずれかであり、前記医薬品包装体と前記容器を一つの外箱の中に収納して一体としたことを特徴とする請求項１に記載の医薬品と水とのセット包装体。
【発明の詳細な説明】
【技術分野】
【０００１】
本発明は医薬品と水とのセット包装体であり、さらに詳しくは、医薬品を収納した医薬品包装体を水を収納した容器に添付した形状の医薬品と水とのセット包装体に関するものである。
【背景技術】
【０００２】
従来より、錠剤、粉末剤、カプセル剤等の経口投与される医薬品は、水等の液体と一緒に服用されている。特に、粉末剤においては、水等の液体がないと服用することが極めて困難なだけでなく、食道に薬がくっついたりすることでその場で溶けて食道に炎症を起こすこともある。最近では、水道水ではなく容器に入った飲料用の水を購入する生活習慣も一般化しており、医薬品を購入した場合、服用するための水を、別途購入している。
【０００３】
また、従来、コンビニエンスストア等の一般小売店では医薬品は販売できなかったが、改正薬事法の２００６年度改正（医薬品販売制度の改正）により、医薬品の販売が解禁されることになり、風邪薬、解熱鎮痛剤等の販売が一般小売店でも始まることが予想されている。
特に、コンビニエンスストアでは、緊急対応の場合、外出先で必要な場合などに対応した１回分〜数回分の小容量の医薬品がメインに販売される可能性がある。
【０００４】
【特許文献１】特開２００６−２３２２８７号公報
【発明の開示】
【発明が解決しようとする課題】
【０００５】
しかしながら、このように小容量の医薬品、例えば１回分の医薬品を購入する場合に、わずかな分量で済むところを従来から販売されている水の容量は５００ｍｌ以上であり、５００ｍｌのボトル入りの水を購入することは、消費者にとってのコスト負担も大きく、服用後の残量も多くなり無駄になることが多い。また、医薬品と水とを別々に購入することも不便であった。
【０００６】
本発明は、このような問題点を解決するためになされたもので、小容量の医薬品を服用する時に必要な量の水を得ることができるような、小容量の医薬品と服用するための水とを一体としたセット包装体として販売し、消費者に利便性をもたらすことができる医薬品と水とのセット包装体を提供することを目的とするものである。
【課題を解決するための手段】
【０００７】
本発明は、このような課題を解決するためになされたもので、請求項１記の発明は、１〜３回服用する量の医薬品を収納した医薬品包装体と、前記医薬品を服用するに足る量の水を収納した容器とからなり、販売時点において、前記医薬品包装体と前記容器を一体としたことを特徴とする医薬品と水とのセット包装体である。
【０００８】
請求項２の発明は、請求項１の発明において、前記医薬品包装体が、医薬品を収納した収納部と前記容器の首部に吊り下げる吊り下げ部とからなるボトルネッカーであり、前記容器が、ボトルであり、前記ボトルネッカーを前記ボトルの首部に取り付けて前記医薬品包装体と前記容器を一体としたことを特徴とする医薬品と水とのセット包装体である。
【０００９】
請求項３の発明は、請求項２の発明において、前記医薬品包装体がプラスチックフィルムからなる包装袋であることを特徴とする医薬品と水とのセット包装体である。
【００１０】
請求項４の発明は、請求項２の発明において、前記医薬品包装体が箱であることを特徴とする医薬品と水とのセット包装体である。
【００１１】
請求項５の発明は、請求項２乃至４のいずれかの発明において、前記医薬品包装体の前記収納部に、小袋に収納された医薬品又はＰＴＰ包装された医薬品が収納されていることを特徴とする医薬品と水とのセット包装体である。
【００１２】
請求項６の発明は、請求項１の発明において、前記医薬品包装体が、医薬品を収納した小袋を添付したスカート状ボトルネッカーであり、前記容器が、ボトルであり、前記スカート状ボトルネッカーを前記ボトルの首部に嵌め込んで前記医薬品包装体と前記容器を一体としたことを特徴とする医薬品と水とのセット包装体である。
【００１３】
請求項７の発明は、請求項１の発明において、前記医薬品包装体が、医薬品を収納した底面に差し込み孔を設けた箱であり、前記容器が、ボトルであり、前記箱を前記差込み孔で前記ボトルの首部に嵌め込んで前記医薬品包装体と前記容器を一体としたことを特徴とする医薬品と水とのセット包装体である。
【００１４】
請求項８の発明は、請求項１の発明において、前記医薬品包装体が軟包装材による包装袋あるいは箱であり、前記医薬品包装体を容器の胴部に接着剤あるいは粘着剤で固定し取り付けて前記医薬品包装体と前記容器を一体としたことを特徴とする医薬品と水とのセット包装体である。
【００１５】
請求項９の発明は、請求項１の発明において、前記医薬品包装体が軟包装材による包装袋あるいは箱であり、前記医薬品包装体を容器の胴部にシュリンク包装あるいはストレッチ包装で前記医薬品包装体を取り付けた前記医薬品包装体と前記容器を一体としたことを特徴とする医薬品と水とのセット包装体である。
【００１６】
請求項１０の発明は、請求項１の発明において、前記医薬品包装体が軟包装材による包装袋あるいは箱であり、前記容器がボトル、パウチ、カップ容器、缶、瓶のいずれかであり、前記医薬品包装体と前記容器を一つの外箱の中に収納して一体としたことを特徴とする医薬品と水とのセット包装体である。
【発明の効果】
【００１７】
上述のように、本発明は、小容量の医薬品と服用するための水とを一体としたセット包装体とすることによって、小容量の医薬品を服用する時に必要な量の水を得ることができるような、小容量の医薬品と服用するための水とを一体としたセット包装体として販売し、消費者に利便性をもたらすことができる。
【００１８】
コンビニエンスストア等の一般小売店では医薬品は販売できなかったが、改正薬事法の２００６年度改正（医薬品販売制度の改正）により、医薬品の販売が解禁されることになり、風邪薬、解熱鎮痛剤等の販売が一般小売店でも始まることが予想され、特に、コンビニエンスストアで、販売されると、消費者にとって、夜間などの緊急対応の場合、あるいは、外出先で必要な場合などに、小容量（１回分〜数回分）の医薬品を購入することができると共に医薬品を服用するのに必要な水を必要量だけ同時に購入することができ、利便性が向上するという効果がある。
【発明を実施するための最良の形態】
【００１９】
以下、本発明の実施形態について図面に従って説明する。
【００２０】
本発明のセット包装体は、１〜３回服用する量の医薬品を収納した医薬品包装体と、前記医薬品を服用するに足る量の水を収納した容器とからなり、前記医薬品包装体を前記容器に取り付けて一体としてなることを特徴とするものである。
【００２１】
医薬品を収納した医薬品包装体としては、１〜３回服用する小容量の医薬品を収納したものであり、例えば、１回分の医薬品が分包された小袋あるいはその分包された小袋を連結した形状の医薬品包装体、ＰＴＰ包装体等とすることができる。さらに、分包された小袋あるいはＰＴＰ包装体をさらに包装した袋、箱等の医薬品包装体とすることができる。
【００２２】
容器としては、小容量の医薬品を服用するのに必要な量の水を収納した容器であり、プラスチックあるいは缶からなるボトル、缶、パウチ等とすることができる。内容物は通常医薬品を服用するには水であるが、水以外にも、薬品によっては、茶類、ジュース、牛乳、コーヒー等とすることもできる。
【００２３】
このような医薬品を収納した医薬品包装体を飲料用の容器に取り付けて一体とするが、このセット包装体の形態としては、医薬品を収納した医薬品包装体をボトル等の容器の首部に吊り下げるボトルネッカーとした形態、医薬品を収納した底面に差し込み孔を設けた箱をボトル等の容器の首部に嵌め込んだ形態、容器の胴部や上部など容器周囲に医薬品を収納した医薬品包装体を接着剤あるいは粘着剤で固定して取り付けた形態、容器の胴部や上部など容器周囲にシュリンク包装あるいはストレッチ包装で医薬品を収納した医薬品包装体を取り付けた形態、包装袋あるいは箱の医薬品包装体とボトル、パウチ、カップ容器、缶、瓶の容器を一つのカートンの中に収納して一体とした形態等とすることができる。
【００２４】
いずれの形態においても、店頭等で簡単に容器から医薬品を収納した医薬品包装体を取り外すことが難しい形状とすることが好ましい。
【００２５】
（実施形態１）
本発明を図面によりさらに詳細に説明する。図１は、本発明によるセット包装体の一実施形態である医薬品包装体をボトルネッカーとした形態の使用時の外観図である。本発明によるセット包装体Ａ、Ａ´は、図１に示すように、小容量の医薬品を収納した医薬品包装体１０Ａ、１０Ａ´と、医薬品を服用するに足る量の水を収納した容器２０Ａとからなり、包装体１０Ａ、１０Ａ´が、医薬品を収納した収納部１１と容器の首部に吊り下げる吊り下げ孔１２ａを有する吊り下げ部１２とからなるボトルネッカーであり、容器２０Ａが、プラスチックボトルであり、ボトルネッカーの医薬品包装体１０Ａ、１０Ａ´をプラスチックボトルの容器２０Ａの首部に取り付けて一体としている。
【００２６】
医薬品包装体１０Ａは、図１−ａに示すように、軟包装材による包装袋状であり、図２−ａに示すように、医薬品を直接収納した形状、あるいは、図２−ｂに示すように、医薬品を収納した小袋Ｙ（あるいはＰＴＰ包装体）を収納した形状としている。この医薬品包装体１０Ａの形状としては、図面で説明するようなピロー包装袋があるが、３方シール包装袋、４方シール包装袋であってもよい。ただし、これらの包装袋の上部は吊り下げ孔１２ａで容器の首部に吊り下げる吊り下げ部１２となっている。
【００２７】
本発明によるセット包装体Ａの医薬品包装体１０Ａの製造方法について説明する。医薬品包装体１０Ａがピロー包装袋の場合であれば、その製造は、ヒートシール部分を若干改造した通常の横型ピロー製袋充填機によって可能になる。すなわち、この製造方法は、ラミネート加工と印刷加工がなされた所定の幅を有する長尺のフィルムを巻き取りから横型ピロー製袋充填機に供給し、同時に供給される医薬品、あるいは医薬品を収納した小袋、ＰＴＰ包装体等の内容物をこのフィルムでオーバーラップしてから、センターシールを行い、次いで、流れと直交する方向のヒートシール（通常よりもシール幅は広幅になっている。）を間欠的に所定のピッチで行うと同時にそのヒートシールされたシール部の途中で断裁して個々のボトルネッカーとするものである。この製造方法によれば、通常の打ち抜き工程を経ることなく、ヒートシールと同時に吊り下げ孔１２ａの切り込みと断裁を行うので、工程の短縮が可能となり、効率的な大量生産方式を実現することができる。
【００２８】
本発明による医薬品包装体１０Ａに使用する素材は、通常軟包装材料に使用されている内面にヒートシーラント層を有するものであればどのような積層構成を有するものでもよい。その積層構成の一例を挙げれば、例えば、表面から順に次の如き構成を有するものである。
２軸延伸ポリプロピレン樹脂２０ｍμ／印刷層／接着層（ドライラミネート用）／蒸着層／無延伸ポリプロピレン樹脂２５ｍμ
なお、印刷は公知のいかなる方法によってもよいが、軟包装材の場合には、グラビア印刷法がもっとも効果的に使用できる。
【００２９】
また、図１−ｂに示すように、医薬品包装体１０Ａ´は材料として板紙を使用して収納部１１を箱状とし、この箱状の収納部１１の中に医薬品を収納した小袋ＹあるいはＰＴＰ包装体を収納することができる。なお、医薬品包装体１０Ａ´の材料としては、板紙以外にプラスチックシート等を使用することができる。
【００３０】
（実施形態２）
図３は、本発明によるセット包装体の他の実施形態である医薬品包装体をスカート状ボトルネッカーとした形態の使用時の外観図である。本発明によるセット包装体Ｂは、図２に示すように、１〜３回服用する量の医薬品を収納した小袋Ｙを添付したスカート状ボトルネッカーの医薬品包装体１０Ｂと、医薬品を服用するに足る量の水を収納したプラスチックボトルの容器２０Ｂとからなり、医薬品を収納した小袋Ｙを添付したスカート状ボトルネッカーの医薬品包装体１０Ｂをプラスチックボトルの容器２０Ｂの首部に嵌め込んで、医薬品包装体１０Ｂと容器２０Ｂを一体としている。
【００３１】
医薬品包装体１０Ｂであるスカート状ボトルネッカーは、図４に示すような扇形のブランクから両側縁部を貼り合わせて形成することができる。上辺には、容器２０Ｂの首部に嵌め込んだ時に簡単に外れることがないように、複数の突起ｔを設けることが好ましい。
【００３２】
このスカート状ボトルネッカーに、所定の位置の４ヶ所に切り込みｒを入れ、医薬品を収納した小袋Ｙの４隅を差し込んで保持している。また、医薬品を収納した小袋Ｙをスカート状ボトルネッカーに接着剤、粘着剤等を用いて貼付してもよい。
【００３３】
（実施形態３）
図５は、本発明によるセット包装体の他の実施形態である医薬品を収納した底面に差し込み孔を設けた箱の医薬品包装体を、プラスチックボトルの容器の首部に嵌め込んで医薬品包装体と容器を一体とした形態の使用時の外観図である。本発明によるセット包装体Ｃは、図５に示すように、１〜３回服用する量の医薬品を収納した医薬品包装体１０Ｃと、医薬品を服用するに足る量の水を収納した容器２０Ｃとからなり、医薬品包装体１０Ｃが、小袋包装あるいはＰＴＰ包装された医薬品を収納した箱であり、容器２０Ｃが、プラスチックボトルであり、底面に嵌合孔ｓを設けた箱状の医薬品包装体１０Ｃをプラスチックボトルの容器２０Ｃの首部に嵌め込んで医薬品包装体１０Ｃと容器２０Ｃを一体としている。
【００３４】
医薬品包装体１０Ｃの箱の形状は、立方体形、直方体形等とすることができる。箱の形式は、サック形式、シールカートン形式、オートボトム形式等とすることができるが、いずれの場合にも底面にプラスチックボトルの首部に嵌め込むための嵌合孔ｓを設けている。箱に使用する材料としては、板紙、プラスチックシート等があげられる。
【００３５】
図６は、本発明によるセット包装体Ｃの医薬品包装体１０Ｃである箱のブランクの一例を示す展開図である。ブランク１０Ｃｂｌでは、底面に嵌合孔ｓを設けており、また、嵌め込んだ箱が容易に抜けることがないように、嵌合孔ｓの内周辺に複数の突起ｔを設けている。
【００３６】
（実施形態４）
図７は、本発明によるセット包装体の他の実施形態である医薬品包装体を容器の胴部に接着剤あるいは粘着剤で固定した形態の使用時の外観図である。本実施形態のセット包装体Ｄは、１〜３回服用する小容量の医薬品を収納した包装体１０Ｄを容器の胴部に接着剤あるいは粘着剤を使用して固定して取り付けた形状である。
【００３７】
医薬品包装体１０Ｄは、軟包装材による包装袋であり、医薬品を直接収納した形状、あるいは、図７に示すように、医薬品を収納した小袋Ｙ（あるいはＰＴＰ包装体）を収納した形状としている。この医薬品包装体１０Ｄの形状としては、４方シール包装袋、３方シール包装袋、ピロー包装袋等とすることができる。
【００３８】
本実施形態においては、実施形態１とは異なり、医薬品包装体１０Ｄを容器２０Ｄの胴部に直接接着剤あるいは粘着剤で貼着して取り付けて医薬品包装体１０Ｄと容器２０Ｄを一体としてセット包装体Ｄを形成している。
【００３９】
使用する接着剤あるいは粘着剤は、医薬品を服用する時に、医薬品包装体１０Ｄを容器２０Ｄの胴部から剥がすことが可能な接着力あるいは粘着力を有しているものが好ましい。また、医薬品包装体１０Ｄの一部を容器２０Ｄの胴部に接着し、医薬品包装体１０Ｄをその接着部分で切り取り可能とする形状とすることもできる。
【００４０】
（実施形態５）
図８は、本発明によるセット包装体の他の実施形態である容器の胴部にシュリンク包装あるいはストレッチ包装で医薬品を収納した医薬品包装体を取り付けた形態の使用時の外観図である。本実施形態におけるセット包装体Ｅは、図８に示すように１〜３回服用する小容量の医薬品を収納した包装体１０Ｅを容器２０Ｅの胴部に、プラスチックフィルムを使用してシュリンク包装あるいはストレッチ包装で固定して取り付けた形状である。
【００４１】
医薬品包装体１０Ｅは、軟包装材による包装袋であり、医薬品を直接収納した形状、あるいは医薬品を収納した小袋Ｙ（あるいはＰＴＰ包装体）を収納した形状としている。この医薬品包装体１０Ｅの形状としては、４方シール包装袋、３方シール包装袋、ピロー包装袋等とすることができる。
【００４２】
本実施形態においては、実施形態２とは異なり、包装体１０Ｅを容器２０Ｅの胴部にシュリンク包装で固定する場合、包装体１０Ｅを容器２０Ｅの胴部に仮に固定し、シュリンクフィルムを被せた後、シュリンクトンネルをとおして完全に医薬品包装体１０Ｅを容器２０Ｅの胴部２１に固定し取り付けてセット包装体Ｅを形成することができる。
【００４３】
また、包装体１０Ｅを容器２０Ｅの胴部にストレッチ包装で固定する場合、包装体１０Ｅを容器２０Ｅの胴部に仮に固定し、ストレッチフィルムを巻き付けて完全に医薬品包装体１０Ｅを容器２０Ｅの胴部２１に固定し取り付けてセット包装体Ｅを形成することができる。この包装体１０Ｅを容器２０Ｅの胴部にシュリンク包装あるいはストレッチ包装で固定する場合、容器２０Ｅの形状は、円柱形より四角柱形の方が、包装体１０Ｅを固定しやすい。
【００４４】
（実施形態５）
図９は、本発明によるセット包装体の他の実施形態である医薬品包装体と容器を一つの外箱の中に収納して一体とした形態の使用時の外観図である。本実施形態のセット包装体Ｆは、１〜３回服用する小容量の医薬品を収納した医薬品包装体１０Ｆと容器２０Ｆを一つの外箱の中に収納して一体とした形態である。
【００４５】
医薬品包装体１０Ｆは、軟包装材による包装袋であり、医薬品を直接収納した形状、あるいは医薬品を収納した小袋、ＰＴＰ包装体を収納した形状としている。この医薬品包装体１０Ｆの形状としては、（あるいはＰＴＰ包装体）を収納した形状としている。この医薬品包装体１０Ｆの形状としては、４方シール包装袋、３方シール包装袋、ピロー包装袋等とすることができる。
【００４６】
また、容器２０Ｆは、図９に示すように軟包装材によるパウチである。この容器２０Ｆの形状としては、パウチ以外にも、プラスチックボトル、カップ容器、缶、瓶とすることができる。
【００４７】
本実施形態においては、医薬品包装体１０Ｆと容器２０Ｆが一つの外箱の中に収納され、医薬品包装体１０Ｆと容器２０Ｆを一体としてセット包装体Ｆを形成している。
【００４８】
外箱は公知の形状の箱を使用することができる。収納する医薬品包装体１０Ｆと容器２０Ｆの大きさ、形状に合わせて適宜設定する。中に仕切り等を挿入して形状とすることもできる。
【産業上の利用可能性】
【００４９】
コンビニエンスストア等の一般小売店では医薬品は販売ができなかったが、改正薬事法の２００６年度改正（医薬品販売制度の改正）により、医薬品の販売が解禁されることになり、風邪薬、解熱鎮痛剤等の販売が一般小売店でも始まることが予想され、特に、コンビニエンスストアで、販売される可能性があり、小容量（１回分〜数回分）の医薬品を販売すると共に医薬品を服用するのに必要な水も同時に販売する場合の医薬品と水とのセット包装体として、広く利用される可能性がある。
【図面の簡単な説明】
【００５０】
【図１】本発明によるセット包装体の一実施形態を示す使用時の外観図である。
【図２】図１のセット包装体の医薬品包装体の例を示す平面図である。
【図３】本発明によるセット包装体の他の実施形態を示す外観図である。
【図４】図３のセット包装体の医薬品包装体のブランクの展開図である。
【図５】本発明によるセット包装体の他の実施形態を示す外観図である。
【図６】図５のセット包装体の医薬品包装体のブランクの展開図である。
【図７】本発明によるセット包装体の他の実施形態を示す外観図である。
【図８】本発明によるセット包装体の他の実施形態を示す外観図である。
【図９】本発明によるセット包装体の他の実施形態を示す外観図である。
【符号の説明】
【００５１】
Ａ        セット包装体
Ａ´      セット包装体
Ｂ        セット包装体
Ｃ        セット包装体
Ｄ        セット包装体
Ｅ        セット包装体
Ｆ        セット包装体
１０Ａ      医薬品包装体（セット包装体Ａの）
１０Ａ´    医薬品包装体（セット包装体Ａ´の）
１０Ｂ      医薬品包装体（セット包装体Ｂの）
１０Ｃ      医薬品包装体（セット包装体Ｃの）
１０Ｄ      医薬品包装体（セット包装体Ｄの）
１０Ｅ      医薬品包装体（セット包装体Ｅの）
１０Ｆ      医薬品包装体（セット包装体Ｆの）
１０Ｃｂｌ  ブランク（医薬品包装体１０Ｃの）
１１        収納部
１２        吊り下げ部
１２ａ      吊り下げ孔
２０        容器
２１        胴部
３０        シュリンクフィルム（ストレッチフィルム）
Ｙ        小袋
ｔ        突起
ｒ        切り込み
ｓ        嵌合孔
【図１】
2008245982.tif 000003
【図２】
2008245982.tif 000004
【図３】
2008245982.tif 000005
【図４】
2008245982.tif 000006
【図５】
2008245982.tif 000007
【図６】
2008245982.tif 000008
【図７】
2008245982.tif 000009
【図８】
2008245982.tif 000010
【図９】
2008245982.tif 000011